(57)【要約】【課題】  耐磁性能を向上させることができるムーブメントおよびそれを備えた時計を提供する．【解決手段】  平面視において、第１〜第４の耐磁板３２〜３５の一部が重なった状態で、第１、第２の耐磁板３２、３３または第３、第４の耐磁板３４、３５が複数のモータ１５〜１９の少なくとも表裏面側における片側の一部または全てを覆って配置されている。従って、第１、第２の耐磁板３２、３３全体または第３、第４の耐磁板３４、３５第１〜第４の耐磁板３２〜３５全体の体積を大きくすることができる。このため、第１〜第４の耐磁板３２〜３５が飽和状態になるのを防ぐことができるので、第１〜第４の耐磁板３２〜３５による耐磁性能を向上させることができる。【選択図】        図３
2019039886.tif 000002
【特許請求の範囲】
【請求項１】
平面視において、複数の耐磁板の一部が重なった状態で、前記複数の耐磁板が複数のモータの少なくとも表裏面側における片側の一部または全てを覆って配置されていることを特徴とするムーブメント。
【請求項２】
請求項１に記載のムーブメントにおいて、前記複数の耐磁板は、前記耐磁板の積層方向にそれぞれ間隔を隔てて配置されていることを特徴とするムーブメント。
【請求項３】
請求項１または請求項２に記載のムーブメントにおいて、前記複数のモータの一部または全ての磁束方向に前記耐磁板が延長されていることを特徴とするムーブメント。
【請求項４】
請求項１〜請求項３のいずれかに記載のムーブメントにおいて、前記複数の耐磁板が重なり覆っている前記モータは、時刻を指示するためのモータであることを特徴とするムーブメント。
【請求項５】
請求項１〜請求項４のいずれかに記載のムーブメントにおいて、前記複数の耐磁板が重なり覆っている前記モータは、駆動周期の一番短いモータであることを特徴とするムーブメント。
【請求項６】
請求項１〜請求項５のいずれかに記載のムーブメントにおいて、前記複数の耐磁板は、前記複数のモータの前記表裏面側における両側に配置されていることを特徴とするムーブメント。
【請求項７】
請求項１〜請求項６のいずれかに記載されたムーブメントを備えていることを特徴とする時計。
【発明の詳細な説明】
【技術分野】
【０００１】
この発明は、腕時計などの電子機器に用いられるムーブメントおよびそれを備えた時計に関する。
【背景技術】
【０００２】
例えば、腕時計においては、特許文献１に記載されているように、腕時計ケースに内蔵されたモータが腕時計ケースの外部からの磁界による影響を防ぐために、耐磁板を配置した構造のものが知られている。
【先行技術文献】
【特許文献】
【０００３】
【特許文献１】特開２０１４−６２８４６号公報
【発明の概要】
【発明が解決しようとする課題】
【０００４】
しかしながら、このような腕時計では、モータの一方の面を複数の耐磁板によって並列に覆った構造であり、腕時計ケース内に進入した外部磁界をそれぞれ、耐磁板で吸収するだけであるから、耐磁板が飽和状態になり易いため、耐磁性能を確保することができない。
【０００５】
この発明が解決しようとする課題は、耐磁性能を向上させることができるムーブメントおよびそれを備えた時計を提供することである。
【課題を解決するための手段】
【０００６】
この発明は、平面視において、複数の耐磁板の一部が重なった状態で、前記複数の耐磁板が複数のモータの少なくとも表裏面側における片側の一部または全てを覆って配置されていることを特徴とするムーブメントである。
【発明の効果】
【０００７】
この発明によれば、複数の耐磁板全体の体積を大きくして、耐磁板が飽和状態なるのを防ぐことができるので、複数の耐磁板による耐磁性能を向上させることができる。
【図面の簡単な説明】
【０００８】
【図１】この発明を適用した腕時計の一実施形態を示した拡大正面図である。
【図２】図１に示された腕時計の時計モジュールを示した要部の拡大断面図である。
【図３】図２に示された時計モジュールにおいて、複数のモータと複数の耐磁板との対応状態を示した拡大平面図である。
【図４】図３に示された時計モジュールにおいて、複数のモータと第１の耐磁板との対応状態を示した拡大平面図である。
【図５】図３に示された時計モジュールにおいて、複数のモータと第２の耐磁板との対応状態を示した拡大平面図である。
【図６】図３に示された時計モジュールにおいて、複数のモータと第３の耐磁板との対応状態を示した拡大平面図である。
【図７】図３に示された時計モジュールにおいて、複数のモータと第４の耐磁板との対応状態を示した拡大平面図である。
【図８】図７に示された時計モジュールにおける要部を示した拡大裏面図である。
【発明を実施するための形態】
【０００９】
以下、図１〜図８を参照して、この発明を腕時計に適用した一実施形態について説明する。
この腕時計は、図１に示すように、腕時計ケース１を備えている。この腕時計ケース１の１２時側と６時側とには、バンド取付部２がそれぞれ設けられている。また、この腕時計ケース１の３時側には、竜頭などのスイッチ部３が設けられており、この腕時計ケース１の２時側、４時側、８時側には、押釦スイッチ４がそれぞれ設けられている。
【００１０】
この腕時計ケース１の内部には、図１および図２に示すように、時計モジュール５が設けられている。この時計モジュール５は、時刻を指示する第１時計ムーブメント６、ワールドタイムを指示する第２時計ムーブメント７、２４時間の時間を指示する第３時計ムーブメント８、日付や曜日、モードを指示表示する第４時計ムーブメント９、およびアンテナ１０などの時計機能に必要な各種の部品を備えている。
【００１１】
すなわち、この時計モジュール５は、図２に示すように、腕時計ケース１内に配置される中枠１１を備えている。この中枠１１内には、上部ハウジング１２と下部ハウジング１３とが設けられている。これら上部ハウジング１２と下部ハウジング１３との間には、回路基板１４が配置されている。上部ハウジング１２の下部側における内部には、第１〜第４時計ムーブメント６〜９の複数のモータ１５〜１９（図３参照）とアンテナ１０とが回路基板１４と電気的に接続された状態で配置されている。
【００１２】
また、この上部ハウジング１２の上部における外周部には、図２に示すように、リング状の日車２０が腕時計ケース１の内周面に沿って回転可能に配置されている。この上部ハウジング１２の上部には、日車２０の内周部を回転可能な状態で押える日車押え板２１が配置されている。これら日車２０および日車押え板２１の上側には、図１に示すように、文字板２２がソーラーパネル（図示せず）を介して配置されている。
【００１３】
文字板２２は、図１に示すように、ほぼ円板状に形成されている。この文字板２２の外周部には、第１時計ムーブメント６の時字２２ａが円周方向に沿って等間隔で設けられている。この文字板２２の６時側には、第２時計ムーブメント７の第１副表示部２２ｂが設けられており、この文字板２２の１２時側には、第３時計ムーブメント８の第２副表示部２２ｃが設けられている。さらに、この文字板２２の９時側には、第４時計ムーブメント９の第３副表示部２２ｄが設けられている。
【００１４】
この場合、第１時計ムーブメント６は、図１および図３に示すように、秒針２３を駆動する秒針モータ１５と、分針２４を駆動する分針モータ１６と、時針２５を駆動する時針モータ１７と、を備えている。秒針モータ１５は、上部ハウジング１２における中心部のほぼ２時側に配置され、指針軸２６の秒針軸（図示せず）を回転させて秒針２３を文字板２２の上方で運針させるように構成されている。
【００１５】
分針モータ１６は、図１および図３に示すように、上部ハウジング１２における中心部のほぼ７時側に配置され、指針軸２６の分針軸（図示せず）を回転させて分針２４を文字板２２の上方で運針させるように構成されている。時針モータ１７は、上部ハウジング１２におけるほぼ１１時側の外周部に配置され、指針軸２６の時針軸（図示せず）を回転させて時針２５を文字板２２の上方で運針させるように構成されている。
【００１６】
この場合、指針軸２６は、図１および図３に示すように、秒針軸、分針軸、および時針軸（いずれも図示せず）を備え、これらが上部ハウジング１２における中心部に同一軸上で回転可能に配置されている。すなわち、時針軸は、筒状に形成され、その内部に筒状の分針軸が上方に突出した状態で回転可能に取り付けられている。この分針軸は、その内部に秒針軸が上方に突出した状態で回転可能に取り付けられている。
【００１７】
これにより、第１時計ムーブメント６は、図１および図３に示すように、秒針軸の上端部に取り付けられた秒針２３を秒針モータ１５で運針させ、分針軸の上端部に取り付けられた分針２４を分針モータ１６で運針させ、時針軸の上端部に取り付けられた時針２５を時針モータ１７で運針させ、これら秒針２３、分針２４、時針２５が文字板２２の時字２２ａを指示することにより、現在時刻を指示するように構成されている。
【００１８】
この場合、秒針モータ１５、分針モータ１６、および時針モータ１７は、図３〜図５に示すように、それぞれステップモータであり、１つのコイルを備えたコイルブロック２７ａ、ステータ２７ｂ、およびロータ２７ｃを備えている。これにより、これらのモータ１５〜１７それぞれは、コイルブロック２７ａで磁界を間欠的に発生させ、この発生した磁界がステータ２７ｂに導かれ、この導かれた磁界によってロータ２７ｃが間欠的に回転することにより、秒針２３、分針２４、時針２５を運針させるように構成されている。
【００１９】
一方、第２時計ムーブメント７は、図１および図３に示すように、上部ハウジング１２のほぼ７時側の外周部に配置された第１副表示モータ１８を備えている。この第２時計ムーブメント７は、第１副表示モータ１８で２つの第１副針２８ａ、２８ｂを第１副表示部２２ｂ内で運針させて、世界の各都市のうちのいずれかの都市の時刻を指示するように構成されている。
【００２０】
この場合、第１副表示モータ１８は、図３〜図５に示すように、第１時計ムーブメント６との各モータ１５〜１７と同様、ステップモータであり、２つのコイルを備えたコイルブロック２７ｄ、ステータ２７ｂ、およびロータ２７ｃを備えている。これにより、第１副表示モータ１８は、２つのコイルを備えたコイルブロック２７ｄで磁界を間欠的に発生させ、この発生した磁界がステータ２７ｂに導かれ、この導かれた磁界によってロータ２７ｃが間欠的に回転することにより、２つの第１副針２８ａ、２８ｂを運針させるように構成されている。
【００２１】
また、この第２時計ムーブメント７の第１副表示部２２ｂは、図１に示すように、１つの第１副針２８ａが運針して時刻を指示する時刻表示領域と、他の第１副針２８ｂが運針して午前／午後を指示する午前／午後表示領域と、を備えている。これにより、第２時計ムーブメント７は、第１副表示部２２ｂの時刻表示領域内で１つの第１副針２８ａが時刻を指示し、午前／午後表示領域内で他の第１副針２８ｂが午前／午後を指示することにより、世界の各都市のうちのいずれかの都市の時刻を指示するように構成されている。
【００２２】
また、第３時計ムーブメント８は、図１および図３に示すように、上部ハウジング１２のほぼ１１時側の外周部に配置された第１時計ムーブメント６の時針モータ１７によって、第２副針３０を第２副表示部２２ｃ内で運針させて、２４時間の時刻を指示するように構成されている。これにより、この第３時計ムーブメント８は、第２副表示部２２ｃ内で第２副針３０が２４時間で１回転することにより、２４時間の時刻を指示するように構成されている。
【００２３】
さらに、第４時計ムーブメント９は、図１および図３に示すように、日付機能と、曜日機能と、モード機能とを備えている。この第４時計ムーブメント９の日付機能は、第３副表示モータ１９によって日車２０を回転させ、この日車２０に表示された「１〜３１」のいずれかの日付（図示せず）を文字板２２の日付窓２２ｅに対応させ、この日付窓２２ｅを通して日車２０の選択された日付が見えるように構成されている。
【００２４】
また、この第４時計ムーブメント９の曜日機能は、図１および図３に示すように、第３副表示モータ１９によって第３副針３１を第３副表示部２２ｄ内で運針させて、曜日を指示するように構成されている。さらに、この第４時計ムーブメント９のモード機能は、第３副表示モータ１９によって第３副針３１を第３副表示部２２ｄ内で運針させて、ストップウオッチ、アラームなどの各種のモードの何れかを指示するように構成されている。
【００２５】
ところで、この時計モジュール５は、図２および図３に示すように、複数のモータ１５〜１９の上部側に第１の耐磁板３２と第２の耐磁板３３との一部が重なるように配置され、複数のモータ１５〜１９の下部側に第３の耐磁板３４と第４の耐磁板３５との一部が重なるように配置されている。
【００２６】
すなわち、これら第１〜第４の耐磁板３２〜３５は、図２および図３に示すように、アンテナ１０を避けた位置で、第１、第２の耐磁板３２、３３と第３、第４の耐磁板３４、３５とで複数のモータ１５〜１９を上下に挟むように配置されている。これにより、これら第１〜第４の耐磁板３２〜３５は、アンテナ１０の送受信を妨げずに、複数のモータ１５〜１９が腕時計ケース１の外部からの磁界による影響を受けないように構成されている。
【００２７】
この場合、第１の耐磁板３２は、図２に示すように、上部ハウジング１２の上部に配置された日車押え板２１の上面に配置されている。これにより、第１の耐磁板３２は、図３および図４に示すように、秒針モータ１５と分針モータ１６との上部側の全体を覆い、かつ時針モータ１７の上部側の一部を覆うように配置されている。
【００２８】
第２の耐磁板３３は、図２に示すように、上部ハウジング１２の上部で、日車押え板２１の下面に配置されている。これにより、第２の耐磁板３３は、第１の耐磁板３２に対して間隔を隔てて一部が重なるように配置されている。なお、この間隔は、平面視で、第１の耐磁板３２と第２の耐磁板３３とが重なっている幅よりも小さい。すなわち、この第２の耐磁板３３は、図３および図５に示すように、複数のモータ１５〜１９の上部側のほぼ全体を覆うように配置されている。
【００２９】
また、この第１の耐磁板３２は、図３および図４に示すように、複数のモータ１５、１６で発生する各磁束方向に延長されている。これにより、第１の耐磁板３２は、複数のモータ１５、１６の各磁束方向に外部磁界が上部側から進入するのを防いで、複数のモータ１５、１６の各特性の低下を防ぐように形成されている。
【００３０】
また、この第２の耐磁板３３は、図３および図５に示すように、複数のモータ１５〜１９で発生する各磁束方向に延長されている。これにより、第２の耐磁板３３は、複数のモータ１５〜１９の各磁束方向に外部磁界が上部側から進入するのを防いで、複数のモータ１５〜１９の各特性の低下を防ぐように形成されている。
【００３１】
この場合、第１、第２の耐磁板３２、３３は、図２および図３に示すように、第１の耐磁板３２と体２の耐磁板３３とが互いに重なっている幅よりも小さい間隔を隔てて配置されていることにより、第１、第２の耐磁板３２、３３全体の体積を大きくし、耐磁性能を向上させるように構成されている。すなわち、これら第１、第２の耐磁板３２、３３は、同じ板厚であれば、複数枚重ねると耐磁性能が向上する。例えば、板厚が１ｍｍの耐磁板、１枚よりも、板厚が０．５ｍｍの耐磁板を２枚重ねた方が、耐磁性能が向上する。
【００３２】
一方、第３の耐磁板３４は、図２に示すように、下部ハウジング１３の下部に配置されている。この第３の耐磁板３４は、図３および図６に示すように、複数のモータ１５〜１９の全てにおける下部側の各一部または全部を覆うように配置されている。この第３の耐磁板３４は、複数のモータ１５〜１９を挟んで第１、第２耐磁板３２、３３の一部または全部と重なるように配置されている。
【００３３】
また、第３の耐磁板３４は、図３および図６に示すように、複数のモータ１５〜１８で発生する各磁束方向に延長されている。これにより、第３の耐磁板３４は、複数のモータ１５〜１８の各磁束方向に外部磁界が下部側から進入するのを防いで、複数のモータ１５〜１８の各特性の低下を防ぐように形成されている。
【００３４】
第４の耐磁板３５は、図２に示すように、下部ハウジング１３の下側に位置する中枠１１の底部に配置されている。これにより、第４の耐磁板３５は、地板３６を介して第３の耐磁板３４に対し間隔を隔てて一部が重なるように配置されている。なお、この間隔は、平面視で、第３の耐磁板３４と第４の耐磁板３５とが重なっている幅よりも小さい。すなわち、この第４の耐磁板３５は、図３および図７に示すように、第１副表示モータ１８の下部側の全体を覆い、かつ分針モータ１６と第３副表示モータ１９との下部側の各一部を覆うように配置されている。
【００３５】
また、第４の耐磁板３５は、図３および図７に示すように、複数のモータ１６、１８で発生する各磁束方向に延長されている。これにより、第４の耐磁板３５は、複数のモータ１６、１８の各磁束方向に外部磁界が下部側から進入するのを防いで、複数のモータ１６、１８の各特性の低下を防ぐように形成されている。
【００３６】
この場合、第４の耐磁板３５は、図８に示すように、第１副表示モータ１８における２つのコイルを備えたコイルブロック２７ｄで発生する磁束方向（図８に示す矢印方向）に延長部３５ａが延長されて設けられている。この第４の耐磁板３５の延長部３５ａは、第１副表示モータ１８の磁束方向に外部磁界が下部側から進入するのを防いで、第１副表示モータ１８の特性の低下を防ぐように形成されている。
【００３７】
また、第３、第４の耐磁板３４、３５は、図２および図３に示すように、第３の耐磁板３４と第４の耐磁板３５とが互いに重なっている幅よりも小さい間隔を隔てて配置されていることにより、第１、第２の耐磁板３２、３３と同様、第３、第４の耐磁板３４、３５全体の体積を大きくし、耐磁性能を向上させるように構成されている。
【００３８】
次に、このような腕時計の作用について説明する。
この腕時計を使用する場合には、第１時計ムーブメント６の秒針２３、分針２４、時針２５が文字板２２上を運針して文字板２２の時字２２ａを指示することにより、現在時刻を知ることができる。すなわち、このときには、第１時計ムーブメント６の秒針モータ１５が駆動され、指針軸２６の秒針軸が回転して秒針２３を文字板２２の上方で運針させることにより、秒針２３が秒時刻を指示する。
【００３９】
また、このときには、第１時計ムーブメント６の分針モータ１６が駆動され、指針軸２６の分針軸が回転して分針２４を文字板２２の上方で運針させることにより、分針２４が分時刻を指示する。さらに、このときには、第１時計ムーブメント６の時針モータ１７が駆動され、指針軸２６の時針軸が回転して時針２５を文字板２２の上方で運針させることにより、時針２５が時間の時刻を指示する。
【００４０】
このように、第１時計ムーブメント６の秒針モータ１５、分針モータ１６、時針モータ１７が駆動されて秒針２３、分針２４、時針２５が文字板２２の上方を運針して文字板２２の時字２２ａを指示する際には、第１〜第４の耐磁板３２〜３５によって各モータ１５〜１７が外部磁界の影響を受けることがないため、秒針２３、分針２４、時針２５を正確にかつ良好に運針させることができる。
【００４１】
すなわち、第１、第２の耐磁板３２、３３は、その一部が重なった状態で秒針モータ１５、分針モータ１６、時針モータ１７の上部側に一部または全部を覆って配置されている。また、これら第１、第２の耐磁板３２、３３は、日車押え板２１を介して互いに間隔を隔てて配置されている。これにより、第１、第２の耐磁板３２、３３は、全体の体積が大きくなる。
【００４２】
このため、第１、第２の耐磁板３２、３３は、各板厚を薄く形成しても、腕時計ケース１の外部から進入する外部磁界の吸収量が増大することにより、第１、第２の耐磁板３２、３３が飽和状態になるのを防いで、第１、第２の耐磁板３２、３３による耐磁性能が向上する。これにより、各モータ１５〜１７が外部磁界の影響を受けることがないので、秒針２３、分針２４、時針２５を正確にかつ良好に運針させることができる。
【００４３】
この場合、第１時計ムーブメント６の秒針モータ１５、分針モータ１６、時針モータ１７のうち、駆動周期の一番短い秒針モータ１５は、そのほぼ全部が第１、第２の耐磁板３２、３３によって覆われているので、これら第１、第２の耐磁板３２、３３によって秒針モータ１５が外部磁界の影響を受けないようにすることができるので、駆動周期が短くても、秒針２３を正確にかつ良好に運針させることができる。
【００４４】
また、第１の耐磁板３２は、複数のモータ１５、１６の各コイルブロック２７ａで発生する各磁束方向に延長されていることにより、複数のモータ１５、１６の各磁束方向に外部磁界が上部側から進入するのを防ぐことができるので、複数のモータ１５、１６の各特性の低下を防ぐことができる。
【００４５】
また、第２の耐磁板３３は、複数のモータ１５〜１９の各コイルブロック２７ａ、２７ｄで発生する各磁束方向に延長されていることにより、複数のモータ１５〜１９の各磁束方向に外部磁界が上部側から進入するのを防ぐことができるので、複数のモータ１５〜１９の各特性の低下を防ぐことができる。
【００４６】
また、第３の耐磁板３４は、第４の耐磁板３５と一部が重なった状態で、秒針モータ１５、分針モータ１６、時針モータ１７の下部側に一部または全部を覆って配置されている。このため、これら第３、第４の耐磁板３４、３５によっても、腕時計ケース１の外部から進入する外部磁界を吸収して、各モータ１５〜１７が外部磁界の影響を受けないようにすることができる。
【００４７】
また、第３の耐磁板３４は、複数のモータ１５〜１８の各コイルブロック２７ａ、２７ｄで発生する各磁束方向に延長されていることにより、複数のモータ１５〜１８の各磁束方向に外部磁界が下部側から進入するのを防ぐことができるので、複数のモータ１５〜１８の各特性の低下を防ぐことができる。
【００４８】
また、第４の耐磁板３５は、複数のモータ１６、１８の各コイルブロック２７ａ、２７ｄで発生する各磁束方向に延長されていることにより、複数のモータ１６、１８の各磁束方向に外部磁界が下部側から進入するのを防ぐことができるので、複数のモータ１６、１８の各特性の低下を防ぐことができる。
【００４９】
一方、第２時計ムーブメント７は、第１副表示モータ１８で２つの第１副針２８ａ、２８ｂを第１副表示部２２ｂ内で運針させて、世界の各都市のうちのいずれかの都市の時刻を指示することにより、世界のいずれかの都市の時刻を知ることができる。すなわち、このときには、第２時計ムーブメント７の第１副表示モータ１８が駆動されて、１つの第１副針２８ａを第１副表示部２２ｂの時刻表示領域内で運針させて、世界の都市の時刻を指示すると共に、他の第１副針２８ｂを第１副表示部２２ｂの午前／午後表示領域内で運針させて、世界の都市の午前／午後を指示する。
【００５０】
このように、第２時計ムーブメント７の第１副表示モータ１８が駆動されて２つの第１副針２８ａ、２８ｂが第１副表示部２２ｂ内で運針して世界の都市の時刻を指示する際には、第１〜第４の耐磁板３２〜３５によって第１副表示モータ１８が外部磁界の影響を受けることがないため、２つの第１副針２８ａ、２８ｂを正確にかつ良好に運針させることができる。
【００５１】
すなわち、第３、第４の耐磁板３４、３５は、その一部が重なった状態で第１副表示モータ１８の下部側に一部または全部を覆って配置されている。また、これら第３、第４の耐磁板３４、３５は、地板３６を介して互いに間隔を隔てて配置されている。これにより、第３、第４の耐磁板３４、３５は、第１、第２の耐磁板３２、３３と同様、第３、第４の耐磁板３４、３５全体の体積が大きくなる。
【００５２】
このため、これら第３、第４の耐磁板３４、３５は、各板厚を薄く形成しても、腕時計ケース１の外部から進入する外部磁界の吸収量が増大し、第３、第４の耐磁板３４、３５が飽和状態になるのを防いで、第３、第４の耐磁板３４、３５による耐磁性能が向上する。これにより、第１副表示モータ１８が外部磁界の影響を受けることがないので、２つの第１副針２８ａ、２８ｂを正確にかつ良好に運針させることができる。
【００５３】
この場合、第４の耐磁板３５は、第１副表示モータ１８における２つのコイルを備えたコイルブロック２７ｄで発生する磁束方向（図８に示す矢印方向）に延長部３５ａが延長されて設けられている。このため、この第４の耐磁板３５の延長部３５ａは、第１副表示モータ１８の磁束方向に外部磁界が下部側から進入するのを防いで、第１副表示モータ１８の特性の低下を防ぐことができる。
【００５４】
また、第２の耐磁板３３は、第１の耐磁板３２と一部が重なった状態で、第１副表示モータ１８の上部側にその全部を覆って配置されている。このため、第１、第２の耐磁板３２、３３は、腕時計ケース１の外部側から進入する外部磁界を吸収することにより、第１副表示モータ１８が外部磁界の影響を受けないようにすることができる。
【００５５】
この場合にも、第２の耐磁板３３は、第１副表示モータ１８のコイルブロック２７ｄで発生する磁束方向に延長されていることにより、第１副表示モータ１８の磁束方向に外部磁界が上部側から進入するのを防いで、複数のモータ１５〜１９の各特性の低下を防ぐことができる。
【００５６】
また、第３時計ムーブメント８は、第１時計ムーブメント６の時針モータ１７によって、第２副針３０を第２副表示部２２ｃ内で運針させて、２４時間の時刻を指示することができる。すなわち、このときには、第１時計ムーブメント６の時針モータ１７が駆動されて、第２副針３０を第２副表示部２２ｃ内において２４時間で１回転するように運針させて、２４時間の時間を指示する。
【００５７】
このように、この第３時計ムーブメント７において、第１時計ムーブメント６の時針モータ１７が駆動されて第２副針３０が第２副表示部２２ｃ内で運針して２４時間表示の時間を指示する際には、第１時計ムーブメント６と同様、第１〜第４の耐磁板３２〜３５によって時針モータ１７が外部磁界の影響を受けることがないため、第２副針３０を正確にかつ良好に運針させることができる。
【００５８】
さらに、第４時計ムーブメント９は、第３副表示モータ１９によって日車２０を回転させ、この日車２０に表示された「１〜３１」のいずれかの日付（図示せず）を文字板２２の日付窓２２ｅに対応させ、この日付窓２２ｅを通して日車２０の選択された日付を知ることができる。
【００５９】
また、この第４時計ムーブメント９は、第３副表示モータ１９によって第３副針３１を第３副表示部２２ｄ内で運針させて、曜日を指示することにより、曜日を知ることができる。また、この第４時計ムーブメント９は、第３副表示モータ１９によって第３副針３１を第３副表示部２２ｄ内で運針させて、ストップウオッチ、アラームなどの各種のモードの何れかを指示することにより、選択したモードを知ることができる。
【００６０】
このように、第４時計ムーブメント９の第３副表示モータ１９が駆動されて、日車２０を回転させて日付を表示させ、第３副針３１が第３副表示部２２ｄで運針して曜日またはモードを指示する際には、第１〜第４の耐磁板３２〜３５によって第３副表示モータ１９が外部磁界の影響を受けることがないため、日車２０および第３副針３１を正確にかつ良好に運針させることができる。
【００６１】
すなわち、第３、第４の耐磁板３４、３５は、その一部が重なった状態で第３副表示モータ１９の下部側に一部または全部を覆って配置されている。また、これら第３、第４の耐磁板３４、３５は、地板３６を介して互いに間隔を隔てて配置されている。これにより、第３、第４の耐磁板３４、３５は、全体の体積が大きくなる。
【００６２】
このため、第３、第４の耐磁板３４、３５は、各板厚を薄く形成しても、腕時計ケース１の外部から進入する外部磁界の吸収量が増大することにより、第３、第４の耐磁板３４、３５が飽和状態になるのを防いで、第３、第４の耐磁板３４、３５による耐磁性能が向上する。これにより、第３副表示モータ１９が外部磁界の影響を受けることがないので、日車２０および第３副針３１を正確にかつ良好に運針させることができる。
【００６３】
また、第２の耐磁板３３は、第１の耐磁板３２と一部が重なった状態で、第３副表示モータ１９の上部側にその全部を覆って配置されている。このため、これら第１、第２の耐磁板３２、３３によっても、腕時計ケース１の外部から侵入する外部磁界を吸収して、第３副表示モータ１９が外部磁界の影響を受けないようにすることができる。これにより、第３副表示モータ１９を良好に駆動させて、日車２０を確実に回転させて日付を良好に切り替えることができると共に、第３副針３１を第３副表示部２２ｄで運針させて曜日またはモードを良好に指示することができる。
【００６４】
このように、この腕時計によれば、平面視において、第１〜第４の耐磁板３２〜３５の一部が重なった状態で、第１、第２の耐磁板３２、３３または第３、第４の耐磁板３４、３５が複数のモータ１５〜１９の少なくとも表裏面側における片側の一部または全てを覆って配置されていることにより、第１、第２の耐磁板３２、３３全体または第３、第４の耐磁板３４、３５全体の体積を大きくすることができ、これにより第１〜第４の耐磁板３２〜３５が飽和状態になるのを防ぐことができるので、第１〜第４の耐磁板３２〜３５による耐磁性能を向上させることができる。
【００６５】
すなわち、第１、第２の耐磁板３２、３３の一部が重なった状態で、第１、第２の耐磁板３２、３３が複数のモータ１５〜１９の上部側の一部または全てを覆って配置されていることにより、第１、第２の耐磁板３２、３３全体の体積を大きくすることができ、これにより第１、第２の耐磁板３２、３３が飽和状態になるのを防ぐことができるので、第１、第２の耐磁板３２、３３による耐磁性能を向上させることができる。
【００６６】
また、第３、第４の耐磁板３４、３５の一部が重なった状態で、第３、第４の耐磁板３４、３５が複数のモータ１〜１９の下部側の一部または全てを覆って配置されていることにより、第３、第４の耐磁板３４、３５全体の体積を大きくすることができ、これにより第３、第４の耐磁板３４、３５が飽和状態になるのを防ぐことができるので、第３、第４の耐磁板３４、３５による耐磁性能を向上させることができる。
【００６７】
また、この腕時計では、第１〜第４の耐磁板３２〜３５が、その積層方向である上下方向にそれぞれ間隔を隔てて配置されていることにより、第１〜第４の耐磁板３２〜３５全体の体積を確実に大きくすることができる。このため、第１〜第４の耐磁板３２〜３５の各板厚を薄く形成しても、外部磁界の吸収量を増大させることができるので、第１〜第４の耐磁板３２〜３５が飽和状態になるのを防ぐことができ、これにより第１〜第４の耐磁板３２〜３５による耐磁性能を向上させることができる。
【００６８】
すなわち、第１、第２の耐磁板３２、３３は、日車押え板２１を介して互いに間隔を隔てて配置されているので、第１、第２の耐磁板３２、３３全体の体積を十分に大きくすることができる。このため、第１、第２の耐磁板３２、３３の各板厚を薄く形成しても、外部磁界の吸収量を増大させることができるので、第１、第２の耐磁板３２、３３が飽和状態になるのを防ぐことができ、これにより第１、第２の耐磁板３２、３３による耐磁性能を向上させることができるので、複数のモータ１５〜１９が外部磁界の影響を受けないようにすることができる。
【００６９】
また、第３、第４の耐磁板３４、３５は、地板３６を介して互いに間隔を隔てて配置されているので、第３、第４の耐磁板３４、３５全体の体積を十分に大きくすることができる。このため、第３、第４の耐磁板３４、３５の各板厚を薄く形成しても、外部磁界の吸収量を増大させることができるので、第３、第４の耐磁板３４、３５が飽和状態になるのを防ぐことができ、これにより第３、第４の耐磁板３４、３５による耐磁性能を向上させることができるので、複数のモータ１５〜１９が外部磁界の影響を受けないようにすることができる。
【００７０】
また、この腕時計では、複数のモータ１５〜１９の各磁束方向に第２の耐磁板３３が延長されていることにより、複数のモータ１５〜１９の各磁束方向に外部磁界が上部側から進入するのを防ぐことができ、これにより複数のモータ１５〜１９の各特性が低下するのを確実にかつ良好に防ぐことができる。
【００７１】
この場合、複数のモータ１５〜１９のうち、第１副表示モータ１８の磁束方向に第４の耐磁板３５が延長されていることにより、第１副表示モータ１８の磁束方向に外部磁界が下部側から進入するのを防ぐことができ、これにより第１副表示モータ１８の特性が低下するのを確実にかつ良好に防ぐことができる。
【００７２】
すなわち、第４の耐磁板３５は、第１副表示モータ１８における２つのコイルを備えたコイルブロック２７ｄで発生する磁束方向（図８に示す矢印方向）に延長部３５ａが延長されて設けられていることにより、この第４の耐磁板３５の延長部３５ａによって、第１副表示モータ１８の磁束方向に外部磁界が下部側から進入するのを確実に防ぐことができ、これにより第１副表示モータ１８の特性の低下を確実に防ぐことができる。
【００７３】
また、この腕時計では、第１〜第４の耐磁板３２〜３５が重なり覆っているモータが、時刻を指示する秒針モータ１５、分針モータ１６、時針モータ１７であることにより、これら秒針モータ１５、分針モータ１６、時針モータ１７が第１〜第４の耐磁板３２〜３５によって外部磁界の影響を受けないようにすることができ、これにより秒針モータ１５、分針モータ１６、時針モータ１７によって秒針２３、分針２４、時針２５を正確にかつ良好に運針させることができる。
【００７４】
また、この腕時計では、第１〜第３の耐磁板３２〜３４が重なり覆っているモータが、駆動周期の一番短い秒針モータ１５であることにより、この秒針モータ１５が第１〜第３の耐磁板３２〜３４によって外部磁界の影響を受けないようにすることができ、これにより秒針モータ１５によって秒針２３を正確にかつ良好に運針させて、秒時刻を正確に知ることができる。
【００７５】
さらに、この腕時計では、第１〜第４の耐磁板３２〜３５が複数のモータ１５〜１９の表裏面側である上下部の両側に配置されていることにより、これら第１〜第４の耐磁板３２〜３５による耐磁性能を更に向上させることができるので、これら第１〜第４の耐磁板３２〜３５によって、より一層、確実にかつ良好に複数のモータ１５〜１９が外部磁界の影響を受けないようにすることができる。
【００７６】
すなわち、第１、第２の耐磁板３２、３３が複数のモータ１５〜１９の上部側に配置されていることにより、これら第１、第２の耐磁板３２、３３によって複数のモータ１５〜１９の上部側の耐磁性能を向上させることができ、また、第３、第４の耐磁板３４、３５が複数のモータ１５〜１９の下部側に配置されていることにより、これら第３、第４の耐磁板３４、３５によって複数のモータ１５〜１９の下部側の耐磁性能を向上させることができる。
【００７７】
このため、これら第１〜第４の耐磁板３２〜３５によって、より一層、耐磁性能を向上させることができるので、第１、第２の耐磁板３２、３３または第３、第４の耐磁板３４、３５を複数のモータ１５〜１９の表裏面側である上下部の片側のみに配置した場合に比べて、より一層、複数のモータ１５〜１９全てが外部磁界の影響を受けないようにすることができる。
【００７８】
なお、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計に限らず、モータを内蔵したムーブメントを備えた電子機器にも広く適用することができる。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、平面視において、複数の耐磁板の一部が重なった状態で、前記複数の耐磁板が複数のモータの少なくとも表裏面側における片側の一部または全てを覆って配置されていることを特徴とするムーブメントである。
【００８１】
請求項２に記載の発明は、請求項１に記載のムーブメントにおいて、前記複数の耐磁板は、前記耐磁板の積層方向にそれぞれ間隔を隔てて配置されていることを特徴とするムーブメントである。
【００８２】
請求項３に記載の発明は、請求項１または請求項２に記載のムーブメントにおいて、前記複数のモータの一部または全ての磁束方向に前記耐磁板が延長されていることを特徴とするムーブメントである。
【００８３】
請求項４に記載の発明は、請求項１〜請求項３のいずれかに記載のムーブメントにおいて、前記複数の耐磁板が重なり覆っている前記モータは、時刻を指示するためのモータであることを特徴とするムーブメントである。
【００８４】
請求項５に記載の発明は、請求項１〜請求項４のいずれかに記載のムーブメントにおいて、前記複数の耐磁板が重なり覆っている前記モータは、駆動周期の一番短いモータであることを特徴とするムーブメントである。
【００８５】
請求項６に記載の発明は、請求項１〜請求項５のいずれかに記載のムーブメントにおいて、前記複数の耐磁板は、前記複数のモータの前記表裏面側における両側に配置されていることを特徴とするムーブメントである。
【００８６】
請求項７に記載の発明は、請求項１〜請求項６のいずれかに記載されたムーブメントを備えていることを特徴とする時計である。
【符号の説明】
【００８７】
１  腕時計ケース
５  時計モジュール
６〜９  第１〜第４の時計ムーブメント
１５  秒針モータ
１６  分針モータ
１７  時針モータ
１８  第１副表示モータ
１９  第３副表示モータ
２０  日車
２１  日車押え板
２２  文字板
２２ａ  時字
２２ｂ  第１副表示部
２２ｃ  第２副表示部
２２ｄ  第３副表示部
３２〜３５  第１〜第４の耐磁板
３５ａ  延長部
【図１】
2019039886.tif 000003
【図２】
2019039886.tif 000004
【図３】
2019039886.tif 000005
【図４】
2019039886.tif 000006
【図５】
2019039886.tif 000007
【図６】
2019039886.tif 000008
【図７】
2019039886.tif 000009
【図８】
2019039886.tif 000010